(57)【要約】【課題】ディスクに傷が付くことを抑えることができるディスクマガジンを提供する。【解決手段】本開示に係るディスクマガジンは、複数枚のディスクを積層したディスクスタックを収納する有底円筒状の収納空間が設けられたディスクトレイと、収納空間を上方から覆い且つ上面視において収納空間の外側でディスクトレイに接触して当該ディスクトレイに着脱自在に取り付けられる蓋体とを備える。【選択図】図３
2018125051.tif 000002
【特許請求の範囲】
【請求項１】
複数枚のディスクを積層したディスクスタックを収納する有底円筒状の収納空間が設けられたディスクトレイと、
前記収納空間を上方から覆い且つ上面視において前記収納空間の外側で前記ディスクトレイに接触して当該ディスクトレイに着脱自在に取り付けられる蓋体と、
を備える、ディスクマガジン。
【請求項２】
前記蓋体と前記ディスクトレイとは、互いに異なる樹脂材料で構成されている、請求項１に記載のディスクマガジン。
【請求項３】
前記ディスクトレイの上面には、上面視において前記収納空間を包含し且つ上方に突出する円筒部が設けられ、
前記蓋体の外周部には、下方に突出する円筒部が設けられ、
前記蓋体の円筒部の下端部は、前記ディスクトレイの円筒部の外周面よりも外側で前記ディスクトレイの上面に接触する、請求項１又は２に記載のディスクマガジン。
【請求項４】
前記ディスクトレイの円筒部の外周面には、周方向に互いに間隔を空けて配置され且つ前記蓋体の円筒部の内周面に向けて突出する２以上の突起部が設けられている、請求項３に記載のディスクマガジン。
【請求項５】
前記蓋体は、円盤状又は略円盤状に形成され、
前記蓋体の外周部には、係合部が設けられ、
前記ディスクトレイには、前記係合部と係合可能な被係合部が設けられ、
前記蓋体が中心部を回転軸として回転することにより、前記係合部と前記被係合部とが係合する係合状態と、前記係合部と前記被係合部とが係合しない非係合状態とに切り換えられるように構成されている、請求項１〜４のいずれか１つに記載のディスクマガジン。
【請求項６】
前記蓋体の係合部は、外方へ突出する突起片で構成され、
前記ディスクトレイの被係合部は、前記突起片に接触して前記蓋体の回転を規制する回転規制部を備える、請求項５に記載のディスクマガジン。
【請求項７】
前記蓋体の外周部の少なくとも一部には、複数の歯で構成されるギア部が形成され、当該ギア部を介して前記蓋体に回転力が付与されるように構成されている、請求項５又は６に記載のディスクマガジン。
【請求項８】
前記収納空間に収納される複数枚のディスクの中心穴を通るように前記ディスクトレイに取り付けられた芯棒を更に備え、
前記蓋体には、前記芯棒の上端部と対向する位置に貫通穴が設けられている、
請求項１〜７のいずれか１つに記載のディスクマガジン。
【請求項９】
前記蓋体の底面には、前記収納空間に収納される複数枚のディスクのうち最上位に位置するディスクの上面の内周側の非記録領域に対向する位置に下方に突出する内周側突起部が設けられている、請求項１〜８のいずれか１つに記載のディスクマガジン。
【請求項１０】
前記蓋体の底面には、前記収納空間に収納される複数枚のディスクのうち最上位に位置するディスクの上面の外周側の非記録領域に対向する位置に下方に突出する外周側突起部が設けられている、請求項１〜９のいずれか１つに記載のディスクマガジン。
【請求項１１】
前記収納空間の底部に配置され、前記ディスクトレイの底面から前記収納空間に貫通するように設けられた貫通穴を覆うように構成されたディスクトレイ用フランジと、
前記収納空間に収納される複数枚のディスクの中心穴を通るように前記ディスクトレイに取り付けられた芯棒と、
を更に備え、
前記ディスクトレイに対する前記芯棒の取付部分は、外方に突出し、
前記ディスクスタックが前記収納空間に収納された静止状態において、前記芯棒の取付部分が前記ディスクスタックを下方から支持し、前記ディスクトレイ用フランジと前記ディスクスタックとは非接触である、請求項１〜１０のいずれか１つに記載のディスクマガジン。
【発明の詳細な説明】
【技術分野】
【０００１】
本開示は、複数枚のディスク（ＣＤやＤＶＤなどのディスク状の情報記憶媒体）を積層状態で収納するディスクマガジンに関する。
【背景技術】
【０００２】
近年、複数のディスクドライブのそれぞれにディスクを供給するディスク装置が開発されている。この種のディスク装置として、例えば、特許文献１（特開２０１４−１３６３９号公報）に記載された装置が知られている。図２１は、従来のディスク装置の構成を模式的に示す斜視図である。
【０００３】
従来のディスク装置は、装置前後方向Ｘ１に延在する２つのマガジンストッカー１０１，１０１を備えている。２つのマガジンストッカー１０１，１０１は、底シャーシ１１１上において、装置横方向Ｙ１に互いに対向するように設けられている。なお、図２１では、一方（手前側）のマガジンストッカー１０１の図示を省略している。
【０００４】
各マガジンストッカー１０１には、複数のディスクマガジン１０２が収納されている。各ディスクマガジン１０２は、複数枚のディスクを積層状態で収納するディスクトレイ１２１と、ディスクトレイ１２１を収納するトレイホルダ（図示せず）とを有している。２つのマガジンストッカー１０１，１０１の間には、複数のディスクマガジン１０２の中から選択された１つのディスクマガジン１０２のトレイホルダからディスクトレイ１２１を引き出し、当該ディスクトレイ１２１を保持するピッカー１０３が設けられている。
【０００５】
ピッカー１０３は、当該保持したディスクトレイ１２１を、装置後方に配置された複数のディスクドライブ１０４の近傍まで搬送するように構成されている。ピッカー１０３には、ディスクトレイ１２１から複数枚のディスクを押し出すリフター１０５が一体的に設けられている。
【０００６】
ディスクドライブ１０４は、ディスクに対してデータの記録又は再生を行う装置である。また、ディスクドライブ１０４は、トレイを用いてディスクをローディングするトレイ方式のディスクドライブである。複数のディスクドライブ１０４は、装置上下方向Ｚ１に積層され、装置後方において各マガジンストッカー１０１，１０１に隣接して配置されている。一方のマガジンストッカー１０１に隣接して積層配置された複数のディスクドライブ１０４と、他方のマガジンストッカー１０１に隣接して積層配置された複数のディスクドライブ１０４との間には、キャリア１０６が設けられている。
【０００７】
キャリア１０６は、リフター１０５により押し出された複数枚のディスクを積層状態で保持し、任意のディスクドライブ１０４から排出されたトレイの上方で、前記保持した複数枚のディスクから１枚のディスクを分離し、当該分離したディスクを前記トレイに載置するように構成されている。
【０００８】
キャリア１０６及び複数のディスクドライブ１０４より更に装置後方には、電気回路及び電源１０７が設けられている。電気回路及び電源１０７には、ピッカー１０３、ディスクドライブ１０４、キャリア１０６などの各装置の動作（モータ等）を制御する制御部が設けられている。当該制御部は、例えば、データを管理するホストコンピュータに接続されている。ホストコンピュータは、オペレータの指示に基づき、指定のディスクマガジン１０２へのデータの記録又は再生等の動作を行うように制御部に指令を送る。制御部は、当該指令に従い、ピッカー１０３、ディスクドライブ１０４、キャリア１０６などの各装置の動作を制御する。
【先行技術文献】
【特許文献】
【０００９】
【特許文献１】特開２０１４−１３６３９号公報
【発明の概要】
【発明が解決しようとする課題】
【００１０】
前記ディスク装置においては、複数枚のディスクを積層状態で収納するディスクトレイの収納空間に埃などの異物が発生したときに、当該異物によって複数枚のディスクに傷が付くおそれがある。ディスクに傷が付くと、ディスクに対してデータの記録又は再生が行うことができないことが起こり得る。
【００１１】
また、近年、クラウドコンピューティングの進展に伴い、前記ディスク装置においては、データ容量のより一層の増加が求められている。このため、ディスクトレイに収納されるディスクの枚数をより増加させることが検討されている。
【００１２】
しかしながら、ディスクトレイの収納空間に収納されるディスクの枚数を増加させると、収納空間内に異物が発生したときに、当該異物によって傷が付くディスクの枚数も増加するおそれがある。
【００１３】
本開示の目的は、前記課題を解決することにあって、ディスクに傷が付くことを抑えることができるディスクトレイを提供することにある。
【課題を解決するための手段】
【００１４】
本開示におけるディスクマガジンは、複数枚のディスクを積層したディスクスタックを収納する有底円筒状の収納空間が設けられたディスクトレイと、
前記収納空間を上方から覆い且つ上面視において前記収納空間の外側で前記ディスクトレイに接触して当該ディスクトレイに着脱自在に取り付けられる蓋体と、
を備える、ディスクマガジンを提供する。
【発明の効果】
【００１５】
本開示のディスクマガジンによれば、ディスクに傷が付くことを抑えることができる。
【図面の簡単な説明】
【００１６】
【図１】実施形態に係るディスク装置の構成を模式的に示す平面図である。
【図２】実施形態に係るディスク装置の構成を模式的に示す側面図である。
【図３】ディスクマガジンを斜め前方から見た斜視図である。
【図４】ディスクマガジンを図３とは異なる斜め前方から見た斜視図である。
【図５】芯棒の斜視図である。
【図６】芯棒の断面図である。
【図７】ディスクトレイの底面図である。
【図８Ａ】ディスクトレイが搬送装置によって搬送される様子を示す上面図である。
【図８Ｂ】ディスクトレイが搬送装置によって搬送される様子を示す側面図である。
【図９Ａ】ディスクトレイが搬送装置によって搬送される様子を示す上面図である。
【図９Ｂ】ディスクトレイが搬送装置によって搬送される様子を示す側面図である。
【図１０】ディスクマガジンを斜め上方から見た組立斜視図である。
【図１１】ディスクマガジンを斜め下方から見た組立斜視図である。
【図１２】ディスクトレイ用フランジの上面図である。
【図１３】ディスクトレイ用フランジの底面の構成を示す斜視図である。
【図１４】搬送装置が備えるリフターによって第１収納空間から第１ディスクスタックを押し出す様子を模式的に示す断面図である。
【図１５】第１収納空間に収納された第１ディスクスタックとフランジと芯棒との位置関係を示す拡大断面図である。
【図１６】第１蓋体の上面側の構成を示す斜視図である。
【図１７】第１蓋体の底面側の構成を示す斜視図である。
【図１８】第１蓋体がディスクトレイに装着された状態を示す拡大断面図である。
【図１９】第１蓋体の突起片とディスクトレイの回転規制部との係合状態を示す拡大断面図である。
【図２０】第１蓋体及び第２蓋体に回転力が付与される様子を示す上面図である。
【図２１】従来のディスク装置の構成を模式的に示す斜視図である。
【発明を実施するための形態】
【００１７】
（本開示の基礎となった知見）
発明者らは、ディスクに傷が付くことを抑えるため、鋭意検討した結果、以下の新規な知見を得た。
【００１８】
従来のディスク装置では、ディスクマガジンのトレイホルダからディスクトレイを引き出し、ディスクトレイをディスクドライブへ搬送するように構成されている。このとき、ディスクトレイはトレイホルダに覆われていないので、当該ディスクトレイの収納空間に収納された複数枚のディスクのうち最上位のディスクが外部に露出する。
【００１９】
発明者らは、このディスクトレイの搬送の際、収納空間に埃等の異物が侵入し、当該異物によってディスクに傷が付くおそれがあることを新規に知見した。当該新規な知見に基づき、発明者らは、鋭意検討した結果、収納空間を上方から覆う蓋体を設け、蓋体とディスクトレイとが上面視において収納空間の外側で接触するように蓋体をディスクトレイに取り付ける構成を見出した。この構成によれば、蓋体とディスクトレイとの接触により発生した異物が収納空間に侵入することを抑えることができ、ディスクに傷が付くことを抑えることができる。この新規な知見に基づき、発明者らは、以下の発明に至った。
【００２０】
本開示の第１態様によれば、複数枚のディスクを積層したディスクスタックを収納する有底円筒状の収納空間が設けられたディスクトレイと、
前記収納空間を上方から覆い且つ上面視において前記収納空間の外側で前記ディスクトレイに接触して当該ディスクトレイに着脱自在に取り付けられる蓋体と、
を備える、ディスクマガジンを提供する。
【００２１】
本開示の第２態様によれば、前記蓋体と前記ディスクトレイとは、互いに異なる樹脂材料で構成されている、第１態様に記載のディスクマガジンを提供する。
【００２２】
本開示の第３態様によれば、前記ディスクトレイの上面には、上面視において前記収納空間を包含し且つ上方に突出する円筒部が設けられ、
前記蓋体の外周部には、下方に突出する円筒部が設けられ、
前記蓋体の円筒部の下端部は、前記ディスクトレイの円筒部の外周面よりも外側で前記ディスクトレイの上面に接触する、第１又は２態様に記載のディスクマガジンを提供する。
【００２３】
本開示の第４態様によれば、前記ディスクトレイの円筒部の外周面には、周方向に互いに間隔を空けて配置され且つ前記蓋体の円筒部の内周面に向けて突出する２以上の突起部が設けられている、第３態様に記載のディスクマガジンを提供する。
【００２４】
本開示の第５態様によれば、前記蓋体は、円盤状又は略円盤状に形成され、
前記蓋体の外周部には、係合部が設けられ、
前記ディスクトレイには、前記係合部と係合可能な被係合部が設けられ、
前記蓋体が中心部を回転軸として回転することにより、前記係合部と前記被係合部とが係合する係合状態と、前記係合部と前記被係合部とが係合しない非係合状態とに切り換えられるように構成されている、第１〜４態様のいずれか１つに記載のディスクマガジンを提供する。
【００２５】
本開示の第６態様によれば、前記蓋体の係合部は、外方へ突出する突起片で構成され、
前記ディスクトレイの被係合部は、前記突起片に接触して前記蓋体の回転を規制する回転規制部を備える、第５態様に記載のディスクマガジンを提供する。
【００２６】
本開示の第７態様によれば、前記蓋体の外周部の少なくとも一部には、複数の歯で構成されるギア部が形成され、当該ギア部を介して前記蓋体に回転力が付与されるように構成されている、第５又は６態様に記載のディスクマガジンを提供する。
【００２７】
本開示の第８態様によれば、前記収納空間に収納される複数枚のディスクの中心穴を通るように前記ディスクトレイに取り付けられた芯棒を更に備え、
前記蓋体には、前記芯棒の上端部と対向する位置に貫通穴が設けられている、
第１〜７態様のいずれか１つに記載のディスクマガジンを提供する。
【００２８】
本開示の第９態様によれば、前記蓋体の底面には、前記収納空間に収納される複数枚のディスクのうち最上位に位置するディスクの上面の内周側の非記録領域に対向する位置に下方に突出する内周側突起部が設けられている、第１〜８態様のいずれか１つに記載のディスクマガジンを提供する。
【００２９】
本開示の第１０態様によれば、前記蓋体の底面には、前記収納空間に収納される複数枚のディスクのうち最上位に位置するディスクの上面の外周側の非記録領域に対向する位置に下方に突出する外周側突起部が設けられている、第１〜９態様のいずれか１つに記載のディスクマガジンを提供する。
【００３０】
本開示の第１１態様によれば、前記収納空間の底部に配置され、前記ディスクトレイの底面から前記収納空間に貫通するように設けられた貫通穴を覆うように構成されたディスクトレイ用フランジと、
前記収納空間に収納される複数枚のディスクの中心穴を通るように前記ディスクトレイに取り付けられた芯棒と、
を更に備え、
前記ディスクトレイに対する前記芯棒の取付部分は、外方に突出し、前記ディスクトレイ用フランジよりも厚さが厚く形成され、
前記ディスクスタックが前記収納空間に収納された静止状態において、前記芯棒の取付部分が前記ディスクスタックを下方から支持し、前記ディスクトレイ用フランジと前記ディスクスタックとは非接触である、第１〜１０態様のいずれか１つに記載のディスクマガジンを提供する。
【００３１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３２】
なお、発明者らは、当業者が本開示を十分に理解するために添付図面及び以下の説明を提供するものであって、これらによって特許請求の範囲に記載の主題を限定することを意図するものではない。
【００３３】
《実施形態》
図１は、実施形態に係るディスク装置の概略構成を示す平面図である。図２は、実施形態に係るディスク装置の概略構成を示す側面図である。なお、実施形態においては、図１の下側を「装置前方」とし、図１の上側を「装置後方」とする。
【００３４】
実施形態に係るディスク装置１は、図１に示すように、基本ユニット２と、複数の拡張ユニット３と、サブユニット４とを備えている。
【００３５】
基本ユニット２には、ディスクに対してデータの記録又は再生を行う複数のディスクドライブ２１が配置されている。各ディスクドライブ２１は、ディスクが載置されるトレイ２１ａを備えている。ディスクは、例えば、直径１２ｃｍの光ディスクである。複数のディスクドライブ２１は、例えば、装置前後方向Ｙにｍ台（ｍは自然数）並列に配置され、装置上下方向Ｚにｎ台（ｎは自然数）並列に配置されている。すなわち、複数のディスクドライブ２１は、基本ユニット２の内部にｍ×ｎ台配置されている。
【００３６】
また、基本ユニット２の上方の空間２２には、各装置の動作を制御する制御部や電源（図示せず）が設けられている。当該制御部は、例えば、データを管理するホストコンピュータに接続されている。ホストコンピュータは、オペレータの指示に基づき、指定のディスクマガジンへのデータの記録又は再生等の動作を行うように制御部に指令を送る。制御部は、当該指令に従い各装置の動作を制御する。
【００３７】
複数の拡張ユニット３は、基本ユニット２に対して装置横方向Ｘに並列に配置されている。実施形態においては、２つの拡張ユニット３，３が基本ユニット２に対して装置横方向Ｘに並列に配置されている。各拡張ユニット３は、装置前方に配置された前部棚３１と、装置後方に配置された後部棚３２とを備えている。
【００３８】
前部棚３１及び後部棚３２には、複数のディスクマガジン５がそれぞれ格納されている。複数のディスクマガジン５は、例えば、装置横方向Ｘにｓ個（ｓは自然数）並列に配置され、装置上下方向Ｚにｔ個（ｔは自然数）並列に配置されている。すなわち、複数のディスクマガジン５は、拡張ユニット３の内部にｓ×ｔ×２個配置されている。
【００３９】
各ディスクマガジン５は、図１に示すように、複数枚のディスクを積層した２つのディスクスタック５１，５１を当該ディスクマガジン５の長手方向に並列に収納するように構成されている。各ディスクスタック５１は、例えば、２４枚のディスクを積層した積層体である。この場合、各ディスクマガジン５は、４８枚（２４×２）のディスクを収納することになる。ディスクマガジン５の構成については、後でより詳しく説明する。
【００４０】
前部棚３１及び後部棚３２は、各ディスクマガジン５を、当該ディスクマガジン５の長手方向が装置前後方向Ｙに沿うように格納するように構成されている。前部棚３１と後部棚３２との間には、搬送通路３３が設けられている。搬送通路３３は、ディスクマガジン５の長手方向の長さよりも大きい装置前後方向Ｙの幅を有している。これにより、前部棚３１及び後部棚３２に格納された任意のディスクマガジン５を、向きを変えることなく、搬送通路３３内に引き出すことができる。
【００４１】
互いに隣接する拡張ユニット３，３の搬送通路３３，３３は、装置横方向Ｘに延在するように連結されている。また、基本ユニット２に隣接する拡張ユニット３の搬送通路３３は、基本ユニット２の内部に連通している。
【００４２】
搬送通路３３には、搬送装置６が移動可能に設けられている。搬送装置６は、前部棚３１及び後部棚３２に格納された複数のディスクマガジン５の中から選択されたディスクマガジンを、搬送通路３２を通じて複数のディスクドライブ２１の近傍に搬送するように構成されている。複数のディスクドライブ２１の近傍に搬送されたディスクマガジン５内の複数枚のディスクは、後述するリフター６２によりディスクマガジン５内から押し出され、図示しないキャリアにより各ディスクドライブ２１のトレイ２１ａに載置される。当該載置されたディスクは、各ディスクドライブ２１の内部に搬送され、データの記録又は再生が行われる。
【００４３】
基本ユニット２及び拡張ユニット３の装置前後方向Ｙの長さＬ１は、一般的な１９インチラックと同じ約１０００ｍｍである。基本ユニット２、拡張ユニット３、及びサブユニット４の装置横方向Ｘの長さＬ２は、一般的な１９インチラックと同じ約６００ｍｍである。なお、基本ユニット２及び拡張ユニット３は、前述した特許文献１のディスク装置と同等の大きさを有している。
【００４４】
サブユニット４には、搬送通路３３に連通し、搬送装置６が移動可能な空間４１が設けられている。空間４１は、最もサブユニット４に近接する拡張ユニット３の前部棚３１又は後部棚３２のディスクマガジン５を搬送装置６が挿抜等する際に、搬送装置６が位置する空間である。また、空間４１には、搬送装置６に電力を供給する電源部等が設置される。
【００４５】
実施形態に係るディスク装置１によれば、複数のディスクマガジン５を格納する前部棚３１と後部棚３２とを装置前後方向Ｙに対向配置し、それらの間に搬送通路３３を設けるように構成されている。また、各ディスクマガジン５がディスクスタック５１を並列に収納するように構成されている。この構成によれば、装置前後方向Ｙの長さが制限されたスペースにおいても、ディスクをより密に配置することができ、設置スペースをより有効に利用することができる。これにより、設置面積当たりのデータ容量を向上させることができる。
【００４６】
また、実施形態に係るディスク装置１によれば、設置スペースに応じて拡張ユニット３の数を増加させることで、設置面積当たりのデータ容量をより一層向上させることができる。
【００４７】
次に、ディスクマガジン５の構成についてより詳細に説明する。図３は、ディスクマガジン５を斜め前方から見た斜視図である。図４は、ディスクマガジン５を図３とは異なる斜め前方から見た斜視図である。
【００４８】
図３及び図４に示すように、ディスクマガジン５は、ディスクトレイ５２と、ディスクトレイ用フランジ（以下、フランジという）５３Ａ，５３Ｂと、第１蓋体５４Ａ，第２蓋体５４Ｂとを備えている。
【００４９】
まず、ディスクトレイ５２の具体的な構成について説明する。
【００５０】
ディスクトレイ５２は、第１収納空間５２１Ａと第２収納空間５２１Ｂとが並列に設けられたトレイ本体５２１と、第１収納空間５２１Ａと第２収納空間５２１Ｂとを物理的に分離する隔壁５２２とを備えている。
【００５１】
トレイ本体５２１は、直方体形状又は略直方体形状を有している。第１収納空間５２１Ａは、複数枚のディスクを積層した第１ディスクスタック５１Ａを収納する有底円筒状の空間であり、トレイ本体５２１の上面で開口するように形成されている。同様に、第２収納空間５２１Ｂは、複数枚のディスクを積層した第２ディスクスタック５１Ｂを収納する有底円筒状の空間であり、トレイ本体５２１の上面で開口するように形成されている。第１収納空間５２１Ａと第２収納空間５２１Ｂとは、トレイ本体５２１の長手方向（装置前後方向Ｙ）に配列されている。
【００５２】
隔壁５２２は、第１収納空間５２１Ａと第２収納空間５２１Ｂとが互いに連通しないようにそれらの間に設けられている。実施形態において、隔壁５２２は、トレイ本体５２１と一体的に設けられている。トレイ本体５２１及び隔壁５２２は、例えば、ポリカーボネート（ＰＣ）で構成されている。この構成によれば、第１収納空間５２１Ａに異物が発生したとしても、当該異物が第２収納空間５２１Ｂに移動することを隔壁５２２によって抑えることができる。従って、少なくとも第２収納空間５２１Ｂに収納された複数枚のディスクに傷が付くことを抑えることができる。なお、隔壁５２２は、第１収納空間５２１Ａと第２収納空間５２１Ｂとを物理的に分離するものであればよく、特に形状は限定されない。
【００５３】
第１収納空間５２１Ａには、第１ディスクスタック５１Ａの中心穴５１Ａａを通るようにトレイ本体５２１に取り付けられた芯棒５５Ａが設けられている。芯棒５５Ａは、第１ディスクスタック５１Ａの中心穴５１Ａａに挿入されることにより、第１ディスクスタック５１Ａの面方向への移動を規制する。
【００５４】
図５は、芯棒５５Ａの斜視図である。図６は、芯棒５５Ａの断面図である。図３及び図４に示すように、トレイ本体５２１は、第１収納空間５２１Ａの底面から上方に突出する略円柱状の突出部５２３Ａを備えている。芯棒５５Ａは、図５及び図６に示すように、略円筒状に形成され、突出部５２３Ａの周囲に嵌められて溶着固定される。
【００５５】
同様に、第２収納空間５２１Ｂには、第２ディスクスタック５１Ｂの中心穴５１Ｂａを通るようにトレイ本体５２１に取り付けられた芯棒５５Ｂが設けられている。芯棒５５Ｂは、第２ディスクスタック５１Ｂの中心穴５１Ｂａに挿入されることにより、第２ディスクスタック５１Ｂの面方向に移動を規制する。また、トレイ本体５２１は、第２収納空間５２１Ｂの底面から上方に突出する略円柱状の突出部５２３Ｂを備えている。芯棒５５Ｂは、図５及び図６に示す芯棒５５Ａと同じ構造を有している。すなわち、芯棒５５Ｂは、略円筒状に形成され、突出部５２３Ｂの周囲に嵌められて溶着固定される。
【００５６】
なお、例えば、芯棒５５Ａを突出部５２３Ａにネジ止めした場合には、ネジが削れた異物（金属粉）が発生するおそれがある。この異物は、ディスクに傷を付ける要因と成り得る。これに対して、芯棒５５Ａ及び芯棒５５Ｂを溶着固定することで、異物の発生を抑えて、ディスクに傷が付くことを抑えることができる。
【００５７】
また、芯棒５５Ａ及び芯棒５５Ｂとディスクとが接触した場合にも、それらの少なくとも一方が削れて、異物（削り粉）が発生するおそれがある。この異物も、ディスクに傷を付ける要因と成り得る。このため、実施形態において、芯棒５５Ａ及び芯棒５５Ｂは、ポリアセタール（ＰＯＭ）などの耐摩耗性や摺動性が高い材料で構成されている。これにより、異物の発生を抑えて、ディスクに傷が付くことを抑えることができる。
【００５８】
また、図３に示すように、トレイ本体５２１の長手方向（装置前後方向Ｙ）に延在する一方の側面５２１ａには、トレイ本体５２１の長手方向の移動をガイドするガイド溝５２１Ｃが設けられている。ガイド溝５２１Ｃは、トレイ本体５２１の長手方向に延在するように形成されている。ガイド溝５２１Ｃと前部棚３１又は後部棚３２に設けられた突起部（図示せず）とを位置合わせした状態で、ディスクマガジン５を装置前後方向Ｙに押すことによって、前記突起部がガイド溝５２１Ｃに沿って相対的に移動する。これにより、前部棚３１又は後部棚３２にディスクマガジン５を格納することができる。実施形態においては、ガイド溝５２１Ｃをトレイ本体５２１の一方の側面５２１ａにのみ設けているので、前記突起部とガイド溝５２１Ｃとを位置合わせしなければ、ディスクマガジン５を前部棚３１又は後部棚３２に格納することができない。これにより、ディスクマガジン５が誤った姿勢（方向性）で前部棚３１又は後部棚３２に格納されることを抑えることができる。
【００５９】
また、図３及び図４に示すように、トレイ本体５２１の短手方向（装置横方向Ｘ）に延在する一方の側面（搬送通路３３側に配置される面）５２１ｂの下端部には、切欠部５２１ｃ，５２１ｃが設けられている。実施形態において、切欠部５２１ｃ，５２１ｃは、トレイ本体５２１の側面５２１ｂの下方両端部に設けられている。
【００６０】
図７は、ディスクトレイ５２の底面図である。図７に示すように、トレイ本体５２１には、切欠部５２１ｃに対してトレイ本体５２１の長手方向（装置前後方向Ｙ）に隣接して、下方に開口する開口部５２１ｄが設けられている。
【００６１】
図８Ａ及び図９Ａは、ディスクトレイ５２が搬送装置６によって搬送される様子を示す上面図である。図８Ｂ及び図９Ｂは、ディスクトレイ５２が搬送装置６によって搬送される様子を示す側面図である。
【００６２】
図８Ａ〜図９Ｂに示すように、搬送装置６は、切欠部５２１ｃ，５２１ｃを通じて開口部５２１ｄ，５２１ｄに挿入される爪部６１，６１を備えている。各爪部６１の先端部６１ａは、上方に折り曲げられている。搬送装置６は、各爪部６１の先端部６１ａを、トレイ本体５２１の長手方向においてトレイ本体５２１に近づく側に移動して切欠部５２１ｃを通過させた後、上方に移動させて開口部５２１ｄに挿入する。これにより、図８Ｂに示すように、各爪部６１の先端部６１ａが開口部５２１ｄ内に位置する。
【００６３】
その後、搬送装置６は、各爪部６１の先端部６１ａを、トレイ本体５２１の長手方向においてトレイ本体５２１から離れる側に移動させる。これにより、各爪部６１の先端部６１ａがトレイ本体５２１の側面５２１ｂに係合し、図９Ａ及び図９Ｂに示すように、ディスクトレイ５２の全体が装置前後方向Ｙに移動する。このようにして、ディスクトレイ５２は、搬送通路３３内に移動される。
【００６４】
この構成によれば、搬送装置６は、爪部６１がトレイ本体５２１の側面５２１ｂから幅方向（装置横方向Ｘ）に突出することなく、ディスクトレイ５２を搬送通路３３内に移動させることができるので、互いに隣接するディスクトレイ５２間の隙間を狭くすることができる。また、従来のピッカーに比べて、爪部６１を移動させる機構を簡素化することができ、部品同士が接触することによる異物（削り粉）の発生を抑えることができる。
【００６５】
また、トレイ本体５２１の側面５２１ｂの内部には、図３及び図４に示すＲＦＩＤタグ５６が収納される。ＲＦＩＤタグ５６には、ディスクマガジン５に収納されるディスクの仕様や情報、生産日等が記憶される。
【００６６】
図１０は、ディスクマガジン５を斜め上方から見た組立斜視図である。図１０に示すように、トレイ本体５２１の上面には、上方に突出し且つトレイ本体５２１の長手方向（装置前後方向Ｙ）に延在する一対の上方突出部５２１Ｄ，５２１Ｄが形成されている。一対の上方突出部５２１Ｄ，５２１Ｄは、上面視において、第１収納空間５２１Ａ及び第２収納空間５２１Ｂを挟んで互いに対向するように設けられている。各上方突出部５２１Ｄは、その最上部が、第１収納空間５２１Ａを上方から覆う第１蓋体５４Ａの最上部及び第２収納空間５２１Ｂを上方から覆う第２蓋体５４Ｂの最上部よりも上方に位置するように構成されている。
【００６７】
この構成によれば、ディスクマガジン５が搬送装置６によって搬送される際にディスクマガジン５の上部が前部棚３１又は後部棚３２に接触したとしても、一対の上方突出部５２１Ｄ，５２１Ｄが前部棚３１又は後部棚３２に接触することになる。これにより、ディスクマガジン５と前部棚３１又は後部棚３２とが接触する部分を一対の上方突出部５２１Ｄ，５２１Ｄに限定することができ、異物（削り粉）の発生を抑えることができる。また、各上方突出部５２１Ｄを第１収納空間５２１Ａ及び第２収納空間５２１Ｂから離れた位置に設けることによって、異物が第１収納空間５２１Ａ及び第２収納空間５２１Ｂに侵入することを抑えることができる。なお、一対の上方突出部５２１Ｄ，５２１Ｄは、互いに連結されて環状に一体化されてもよい。
【００６８】
図１１は、ディスクマガジン５を斜め下方から見た組立斜視図である。図１１に示すように、トレイ本体５２１の底面には、下方に突出し且つトレイ本体５２１の長手方向（装置前後方向Ｙ）に延在する下方突出部５２１Ｅが形成されている。実施形態において、下方突出部５２１Ｅは、トレイ本体５２１の底面の周囲に部分的に設けられている。
【００６９】
この構成によれば、ディスクマガジン５が搬送装置６によって搬送される際、下方突出部５２１Ｅが前部棚３１又は後部棚３２に接触（摺動）することになる。これにより、ディスクマガジン５と前部棚３１又は後部棚３２とが接触（摺動）する部分を下方突出部５２１Ｅに限定することができ、異物（削り粉）の発生を抑えることができる。
【００７０】
次に、フランジ５３Ａ，５３Ｂの具体的な構成について説明する。なお、フランジ５３Ａとフランジ５３Ｂとは同じ構成を有しているので、ここでは、フランジ５３Ａの構成についてのみ説明する。
【００７１】
フランジ５３Ａは、第１収納空間５２１Ａの底部に配置される。フランジ５３Ａは、図７又は図１１に示すようにディスクトレイ５２の底面から第１収納空間５２１Ａに貫通するように設けられた複数の貫通穴５２１Ｆを、上方から覆うように構成されている。これにより、複数の貫通穴５２１Ｆを通じて第１収納空間５２１Ａに埃等の異物が侵入することが抑制される。実施形態においては、４つの貫通穴５２１Ｆが芯棒５５Ａの周囲に等間隔で設けられている。
【００７２】
図１２は、フランジ５３Ａの上面図である。図１３は、フランジ５３Ａの底面の構成を示す斜視図である。図１４は、搬送装置６が備えるリフター６２によって第１収納空間５２１Ａから第１ディスクスタック５１Ａを押し出す様子を模式的に示す断面図である。図１５は、第１収納空間５２１Ａに収納された第１ディスクスタック５１Ａとフランジ５３Ａと芯棒５５Ａとの位置関係を示す拡大断面図である。
【００７３】
図１２〜図１４に示すように、フランジ５３Ａは、中心穴５３Ａａを有する円盤状に形成されている。中心穴５３Ａａの直径（すなわち、フランジ５３Ａの内径）は、第１ディスクスタック５１Ａの中心穴５１Ａａよりも大きく設定されている。フランジ５３Ａの貫通穴５２１Ｆに対向する領域には、上方に凹む凹部５３Ａｂが設けられている。凹部５３Ａｂは、図１４に示すように、貫通穴５２１Ｆを通じて第１収納空間５２１Ａに挿入されるリフター６２のピン６２ａの先端部を受け入れるように形成されている。
【００７４】
リフター６２は、上方に立設された複数のピン６２ａを備えている。実施形態において、リフター６２は、貫通穴５２１Ｆの数に応じて、４つのピン６２ａを備えている。リフター６２は、４つのピン６２ａを、対応する貫通穴５２１Ｆを通じてフランジ５３Ａの凹部５３Ａｂに挿入した後、上昇させることにより、第１収納空間５２１Ａから第１ディスクスタック５１Ａを押し出すように構成されている。各ピン６２ａが凹部５３Ａｂに挿入されることで、振動等によるピン６２ａの位置ズレを規制することができる。また、リフター６２は、図１４に示すように、第１ディスクスタック５１Ａと共に、フランジ５３Ａ及び第１蓋体５４Ａも第１収納空間５２１Ａから押し出すように構成されている。
【００７５】
第１蓋体５４Ａには、芯棒５５Ａの上端部と対向する位置に貫通穴５４Ａａが設けられている。リフター６２によって押し出された第１ディスクスタック５１Ａの中心穴５１Ａａと第１蓋体５４Ａの貫通穴５４Ａａには、図示しないキャリアのディスクチャックユニットが挿入される。第１ディスクスタック５１Ａと第１蓋体５４Ａとは、当該ディスクチャックユニットから外方へ進退移動可能に突出する爪部によって保持される。このとき、中心穴５３Ａａの直径が第１ディスクスタック５１Ａの中心穴５１Ａａの直径よりも大きいので、フランジ５３Ａは、ディスクチャックユニットの爪部によって保持されず、リフター６２の各ピン６２ａに支持されたままである。
【００７６】
その後、キャリアは、任意のディスクドライブ２１から排出されたトレイ２１ａの上方で、保持した第１ディスクスタック５１Ａから１枚のディスクを分離し、当該分離したディスクをトレイ２１ａに載置する。この間、キャリアが第１蓋体５４Ａを保持することによって、第１ディスクスタック５１Ａの上面に傷が付くことが防止される。一方、リフター６２の各ピン６２ａに支持されたフランジ５３Ａは、各ピン６２ａの下降に伴って下降し、第１収納空間５２１Ａの底部に載置され、再び複数の貫通穴５２１Ｆを上方から覆う。これにより、複数の貫通穴５２１Ｆを通じて第１収納空間５２１Ａに埃等の異物が侵入することが抑制される。キャリアの構成は、従来と同様であるので、ここでは説明を省略する。
【００７７】
フランジ５３Ａの第１ディスクスタック５１Ａと接触する側の表面には、シボ加工が施されている。これにより、フランジ５３Ａと第１ディスクスタック５１Ａとが貼り付くことを抑えることができる。
【００７８】
フランジ５３Ａの凹部５３Ａｂは、図１２及び図１３に示すように、上面視において中心穴５３Ａａの周囲に円環状に形成されている。これにより、中心穴５３Ａａを中心とするフランジ５３Ａの回転を考慮することなく、フランジ５３Ａの凹部５３Ａｂと４つのピン６２ａとの位置合わせを容易に行うことができる。
【００７９】
また、図１５に示すように、ディスクトレイ５２に対する芯棒５５Ａの取付部分５５Ａａは、外方に突出している。実施形態において、取付部分５５Ａａは、トレイ本体５２１の底面に沿って外方に放射状に突出している。第１ディスクスタック５１Ａが第１収納空間５２１Ａに収納された静止状態において、芯棒５５Ａの取付部分５５Ａａは、第１ディスクスタック５１Ａを下方から支持し、フランジ５３Ａと第１ディスクスタック５１Ａとは非接触になっている。すなわち、静止状態において、第１ディスクスタック５１Ａは、芯棒５５Ａの取付部分５５Ａａに保持される。一方、リフター６２の各ピン６２ａによって上昇されるとき、第１ディスクスタック５１Ａは、フランジ５３Ａの凹部５３Ａｂ（上面側から見れば凸部）に保持される。
【００８０】
この構成によれば、各ピン６２ａによって第１ディスクスタック５１Ａを上昇させるとき、各ピン６２ａの間隔をより大きくして、第１ディスクスタック５１Ａをより外周側で保持することができる。これにより、第１ディスクディスクスタック５１Ａを、水平面に対して傾かないように、安定して上昇させることができる。
【００８１】
なお、フランジ５３Ａの凹部５３Ａｂは、第１ディスクスタック５１Ａの最下位のディスクの記録領域に傷を付けないように、当該最下位のディスクの内周側の非記録領域を保持する位置に設けられることが好ましい。なお、ディスクの記録領域は、例えば、ディスクの中心から４０ｍｍ〜１１８．５ｍｍの範囲の領域である。すなわち、この場合、フランジ５３Ａの凹部５３Ａｂは、最下位のディスクの中心から４０ｍｍの範囲の領域を保持する位置に設けられることが好ましい。
【００８２】
また、図１４に示すように、フランジ５３Ａは、外径がディスクの外径よりも大きくなるように形成されている。これにより、第１ディスクスタック５１Ａが第１収納空間５２１Ａの底部に対して傾いたとしても、第１ディスクスタック５１Ａが第１収納空間５２１Ａの底部に接触せず、フランジ５３Ａに接触するようにしている。これにより、トレイ本体５２１の材質選択の自由度を向上させることができる。例えば、トレイ本体５２１を硬い樹脂材料で構成することができる。なお、実施形態において、フランジ５３Ａは、ディスクに接触しても異物（削り粉）の発生が抑えられるように、ディスクと同じ材質で構成されている。
【００８３】
次に、第１蓋体５４Ａ及び第２蓋体５４Ｂの具体的な構成について説明する。なお、第１蓋体５４Ａと第２蓋体５４Ｂとは同じ構成を有しているので、ここでは、第１蓋体５４Ａの構成についてのみ説明する。
【００８４】
第１蓋体５４Ａは、図１０に示すように、第１収納空間５２１Ａを上方から覆い且つ上面視において第１収納空間５２１Ａの外側でディスクトレイ５２に接触して当該ディスクトレイ５２に着脱自在に取り付けられるように構成されている。
【００８５】
図１６は、第１蓋体５４Ａの上面側の構成を示す斜視図である。図１７は、第１蓋体５４Ａの底面側の構成を示す斜視図である。図１６及び図１７に示すように、第１蓋体５４Ａは、円盤状又は略円盤状に形成されている。前述したように、第１蓋体５４Ａの中心部には、図示しないキャリアのディスクチャックユニットが挿入される貫通穴５４Ａａが設けられている。
【００８６】
ディスクトレイ５２の上面には、図３〜図５に示すように、上面視において第１収納空間５２１Ａを包含し且つ上方に突出する円筒部５２１Ｇが設けられている。円筒部５２１Ｇの内径は、第１収納空間５２１Ａに収納されるディスクの直径よりも大きく設定されている。
【００８７】
第１蓋体５４Ａの外周部には、下方に突出する円筒部５４Ａｂが設けられている。円筒部５４Ａｂの内径は、円筒部５２１Ｇの外径よりも僅かに大きく設定されている。
【００８８】
図１８は、第１蓋体５４Ａがディスクトレイ５２に装着された状態を示す拡大断面図である。図１８に示すように、第１蓋体５４Ａの円筒部５４Ａｂの下端部５４Ａｃは、ディスクトレイ５２の円筒部５２１Ｇの外周面よりも外側でディスクトレイ５２の上面に接触するように構成されている。これにより、第１蓋体５４Ａの円筒部５４Ａｂの下端部５４Ａｃとディスクトレイ５２の上面とが接触することによって異物（削り粉）が発生しても、当該異物が第１収納空間５２１Ａに侵入することが抑えられる。
【００８９】
また、図１８に示すように、第１蓋体５４Ａの円筒部５４Ａｂの内周面とディスクトレイ５２の円筒部５２１Ｇの外周面との間には、隙間Ｃ１が設けられている。また、第１蓋体５４Ａの底面とディスクトレイ５２の円筒部５２１Ｇの上端部との間には、隙間Ｃ２が設けられている。隙間Ｃ１及びＣ２により、第１蓋体５４Ａとディスクトレイ５２との接触面積を小さくして、異物（削り粉）の発生が抑えられる。
【００９０】
第１蓋体５４Ａとディスクトレイ５２とは、互いに異なる樹脂材料で構成されている。例えば、前述したようにディスクトレイ５２がポリカーボネート（ＰＣ）で構成されるのに対して、第１蓋体５４Ａはポリプロピレン（ＰＰ）で構成されている。これにより、第１蓋体５４Ａとディスクトレイ５２との接触による異物（削り粉）の発生が抑えられる。
【００９１】
また、ディスクトレイ５２の円筒部５２１Ｇの外周面には、図３〜図５に示すように、周方向に互いに間隔を空けて配置され且つ第１蓋体５４Ａの円筒部５４Ａｂの内周面に向けて突出する２以上の突起部５２１Ｈが設けられている。実施形態において、各突起部５２１Ｈは、上下方向（装置上下方向Ｚ）に延在するように形成されている。これにより、第１蓋体５４Ａの円筒部５４Ａｂの内周面がディスクトレイ５２の円筒部５２１Ｇの外周面に近づくように押圧された際、両者は２以上の突起部５２１Ｈにて接触することになる。その結果、第１蓋体５４Ａとディスクトレイ５２との接触箇所を限定して、異物（削り粉）の発生が抑えられる。
【００９２】
また、図１６及び図１７に示すように、第１蓋体５４Ａの外周部には、係合部の一例である突起片５４Ａｄが設けられている。実施形態においては、第１蓋体５４Ａの外周部から外方に突出するように、４つの突起片５４Ａｄが等間隔（９０度間隔）に設けられている。
【００９３】
図１０に示すように、ディスクトレイ５２には、突起片５４Ａｄと係合可能な被係合部の一例である回転規制部５２１Ｉが設けられている。実施形態においては、突起片５４Ａｄの数に応じて、４つの回転規制部５２１Ｉがディスクトレイ５２の上面に設けられている。回転規制部５２１Ｉは、突起片５４Ａｄに接触して第１蓋体５４Ａの回転を規制するように構成されている。第１蓋体５４Ａが中心部（中心穴５４Ａａ）を回転軸として回転することにより、突起片５４Ａｄと回転規制部５２１Ｉとが係合する係合状態と、突起片５４Ａｄと回転規制部５２１Ｉとが係合しない非係合状態とが切り換えられる。
【００９４】
図１９は、第１蓋体５４Ａの突起片５４Ａｄとディスクトレイ５２の回転規制部５２１Ｉとの係合状態を示す拡大断面図である。図１９に示すように、第１蓋体５４Ａの突起片５４Ａｄとディスクトレイ５２の回転規制部５２１Ｉとは、上下方向（装置上下方向Ｚ）には接触せず、第１蓋体５４Ａの回転方向にのみ接触するように構成されている。これにより、異物（削り粉）の発生が抑えられる。
【００９５】
また、図１０に示すように、第１蓋体５４Ａの外周部の一部には、複数の歯で構成されるギア部５４Ａｅが形成されている。第１蓋体５４Ａは、ギア部５４Ａｅを介して回転力が付与されるように構成されている。
【００９６】
図２０は、第１蓋体５４Ａ及び第２蓋体５４Ｂに回転力が付与される様子を示す上面図である。図２０に示すように、ディスク装置１は、更に、蓋開閉装置７を備えている。蓋開閉装置７は、例えば、搬送装置６に一体的に設けられている。蓋開閉装置７は、第１蓋体５４Ａのギア部５４Ａｅと噛み合う歯車７１と、第２蓋体５４Ｂのギア部５４Ｂｅと噛み合う歯車７２と、ディスクトレイ７を短手方向（装置横方向Ｘ）に押圧する押圧部材７３とを備えている。
【００９７】
蓋開閉装置７は、トレイ本体５２１の側面５２１ａの中間部に設けられた凹部５２１Ｊに押圧部材７３を挿入して、当該押圧部材７３とは反対側に設けられた壁（図示せず）にディスクトレイ５２を押圧し、ディスクトレイ５２の短手方向の移動を規制する。この状態で、蓋開閉装置７は、第１蓋体５４Ａのギア部５４Ａｅと噛み合うように配置された歯車７１と、第２蓋体５４Ｂのギア部５４Ｂｅと噛み合うように配置された歯車７２とを回転させる。これにより、第１蓋体５４Ａが中心部を回転軸として回転し、突起片５４Ａｄと回転規制部５２１Ｉとが係合する係合状態と、突起片５４Ａｄと回転規制部５２１Ｉとが係合しない非係合状態とが切り換えられる。突起片５４Ａｄと回転規制部５２１Ｉとが非係合状態であるときに、リフター６２の各ピン６２ａが貫通穴５２１Ｆを通じてフランジ５３Ａの凹部５３Ａｂに挿入された後、上昇されることにより、第１収納空間５２１Ａから第１ディスクスタック５１Ａが押し出される。この構成によれば、蓋開閉装置７をディスクトレイ５２の側方に設けることができるので、リフター６２及びキャリア（図示せず）と干渉せずに蓋開閉装置７を構成することができ、蓋開閉装置７の構造を簡素化することができる。
【００９８】
また、第１蓋体５４Ａの底面には、図１７に示すように、下方に突出する内周側突起部５４Ａｆが設けられている。内周側突起部５４Ａｆは、第１収納空間５２１Ａに収納される第１ディスクスタック５１Ａのうち最上位に位置するディスクの上面の内周側の非記録領域に対向する位置に設けられている。実施形態において、内周側突起部５４Ａｆは、円環状に形成されている。この構成によれば、ディスクマガジン５が上下逆に配置された場合であっても、内周側突起部５４Ａｆが最上位のディスクの内周側の非記録領域を保持するので、ディスクの記録領域と第１蓋体５４Ａとの間に隙間を形成することができる。これにより、ディスクの記録領域に傷が付くことを抑えることができる。また、第１蓋体５４Ａの貫通穴５４Ａａを通じて異物が第１収納空間５２１Ａに侵入した場合であっても、内周側突起部５４Ａｆと最上位のディスクの内周側の非記録領域とが接触することにより、ディスクの記録領域側に異物が侵入することを抑えることができる。
【００９９】
また、第１蓋体５４Ａの底面には、図１７に示すように、下方に突出する外周側突起部５４Ａｇが設けられている。外周側突起部５４Ａｇは、第１収納空間５２１Ａに収納される第１ディスクスタック５１Ａのうち最上位に位置するディスクの上面の外周側の非記録領域に対向する位置に設けられている。実施形態において、外周側突起部５４Ａｇは、円環状に形成されている。この構成によれば、ディスクマガジン５が上下逆に配置された場合であっても、外周側突起部５４Ａｇが最上位のディスクの外周側の非記録領域を保持するので、ディスクの記録領域と第１蓋体５４Ａとの間に隙間を形成することができる。これにより、ディスクの記録領域に傷が付くことを抑えることができる。
【０１００】
なお、本発明は前記実施形態に限定されるものではなく、その他種々の態様で実施できる。例えば、図１では、各拡張ユニット３において、装置横方向Ｘに３個のマガジン５が配置されるように図示したが、本発明はこれに限定されない。例えば、各拡張ユニット３は、装置横方向Ｘに４個のマガジン５が配置されるように構成されてもよい。
【０１０１】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０２】
また、前述の実施形態は、本開示における技術を例示するためのものであるから、特許請求の範囲又はその均等の範囲において種々の変更、置き換え、付加、省略などを行うことができる。
【産業上の利用可能性】
【０１０３】
本開示に係るディスクマガジンは、ディスクに傷が付くことを抑えることができるので、特に、データセンターなどの大量のデータを扱う施設に用いるディスク装置に有用である。
【符号の説明】
【０１０４】
１      ディスク装置
２      基本ユニット
３      拡張ユニット
４      サブユニット
５      ディスクマガジン
６      搬送装置
７      蓋開閉装置
２１      ディスクドライブ
２１ａ    トレイ
２２      空間
３１      前部棚
３２      後部棚
３３      搬送通路
４１      空間
５１      ディスクスタック
５１Ａ，５１Ｂ  ディスクスタック
５１Ａａ，５１Ｂａ  中心穴
５２      ディスクトレイ
５３Ａ，５３Ｂ  フランジ
５３Ａａ  中心穴
５３Ａｂ  凹部
５４Ａ，５４Ｂ    蓋体
５４Ａａ  貫通穴
５４Ａｂ  円筒部
５４Ａｃ  下端部
５４Ａｄ  突起片（係合部）
５４Ａｅ，５４Ｂｅ  ギア部
５４Ａｆ  内周側突起部
５４Ａｇ  外周側突起部
５５Ａ，５５Ｂ    芯棒
５５Ａａ  取付部分
５６      ＲＦＩＤタグ
６１      爪部
６１ａ    先端部
６２      リフター
６２ａ    ピン
７１，７２  歯車
７３      押圧部材
５２１      突起片
５２１ａ，５２１ｂ  側面
５２１ｃ    切欠部
５２１ｄ    開口部
５２１Ａ    第１収納空間
５２１Ｂ    第２収納空間
５２１Ｃ  ガイド溝
５２１Ｄ  上方突出部
５２１Ｅ  下方突出部
５２１Ｆ  貫通穴
５２１Ｇ  円筒部
５２１Ｈ  突起部
５２１Ｉ  回転規制部（被係合部）
５２１Ｊ  凹部
５２２    隔壁
５２３Ａ，５２３Ｂ  突出部
【図１】
2018125051.tif 000003
【図２】
2018125051.tif 000004
【図３】
2018125051.tif 000005
【図４】
2018125051.tif 000006
【図５】
2018125051.tif 000007
【図６】
2018125051.tif 000008
【図７】
2018125051.tif 000009
【図８Ａ】
2018125051.tif 000010
【図８Ｂ】
2018125051.tif 000011
【図９Ａ】
2018125051.tif 000012
【図９Ｂ】
2018125051.tif 000013
【図１０】
2018125051.tif 000014
【図１１】
2018125051.tif 000015
【図１２】
2018125051.tif 000016
【図１３】
2018125051.tif 000017
【図１４】
2018125051.tif 000018
【図１５】
2018125051.tif 000019
【図１６】
2018125051.tif 000020
【図１７】
2018125051.tif 000021
【図１８】
2018125051.tif 000022
【図１９】
2018125051.tif 000023
【図２０】
2018125051.tif 000024
【図２１】
2018125051.tif 000025